(57)【要約】【課題】顕微鏡の確実な直立状態を簡単に達成することのできる顕微鏡のためのスタンドベースを提供する。【解決手段】顕微鏡のためのスタンドベース（１０）は、スタンドベース本体（１２）を含み、スタンドベース本体（１２）には、スタンドベース（１０）を移動するための複数のキャスタ（１４〜２０）が固定されている。更にスタンドベース（１０）は、スタンドベース（１０）の移動を防止するための制動システム（４０）を有し、この際、制動システム（４０）は、少なくとも２つの制動脚部（４４，４６）を含み、これらの制動脚部（４４，４６）は、１つの操作要素（６２）により操作可能である。【選択図】図７
2015177980.tif 000002
【特許請求の範囲】
【請求項１】
顕微鏡のためのスタンドベースであって、
スタンドベース本体（１２）と、
フロア上で該スタンドベース（１０）を移動可能に支持するために前記スタンドベース本体（１２）に固定された複数のキャスタ（１４〜２０）と、
該スタンドベース（１０）の移動を防止するための制動システム（４０）とを備え、
前記制動システム（４０）は、少なくとも２つの制動脚部（４４，４６）を含み、前記制動脚部は、制動ポジションにおいてフロアに対して押し付けられ、該スタンドベース（１０）の移動を防止するか又は少なくとも困難にし、解除ポジションにおいて該スタンドベース（１０）の移動を可能にし、
前記制動システム（４０）は、前記制動脚部（４４，４６）を前記解除ポジションから前記制動ポジションへ位置変更するためにオペレータにより操作可能な１つの操作要素（６２）を含み、前記操作要素（６２）は、前記操作要素（６２）の操作により前記制動脚部（４４，４６）が前記解除ポジションから前記制動ポジションへ動かされるように前記制動脚部（４４，４６）と連結されていること
を特徴とするスタンドベース。
【請求項２】
前記操作要素（６２）は、ペダルを含むこと
を特徴とする、請求項１に記載のスタンドベース。
【請求項３】
前記操作要素（６２）は、ロッドシステム（６４）を介して前記制動脚部（４４，４６）と連結されていること
を特徴とする、請求項１又は２に記載のスタンドベース。
【請求項４】
前記ロッドシステム（６４）は、横ロッド（６８）を含み、前記横ロッド（６８）の端部には、前記制動脚部（４４，４６）が関節式で取り付けられていること、
前記ロッドシステム（６４）は、連結ロッド（６６）を含み、前記連結ロッド（６６）は、前記横ロッド（６８）と関節式で連結されており、更に前記操作要素（６２）と連結されていること、及び、
前記操作要素（６２）の操作により前記操作要素（６２）は、前記連結ロッド（６６）を動かし、そして前記連結ロッド（６６）は、前記横ロッド（６８）を介して前記制動脚部（４４，４６）を前記解除ポジションから制動ポジションへ動かすこと
を特徴とする、請求項３に記載のスタンドベース。
【請求項５】
前記制動脚部（４４，４６）は、各々弾性要素（５２，５４）を用い、前記解除ポジションにおいて予付勢されており、前記操作要素（６２）の操作により各々の前記弾性要素（５２，５４）の復元力に反して前記制動ポジションへ動かされること
を特徴とする、請求項１〜４のいずれか一項に記載のスタンドベース。
【請求項６】
前記制動脚部（４４，４６）を前記操作要素（６２）の操作後に前記制動ポジションにおいて保持するロック装置（７０）が設けられていること
を特徴とする、請求項１〜５のいずれか一項に記載のスタンドベース。
【請求項７】
前記ロック装置（７０）は、ガイドユニット（７２）を有し、前記ガイドユニット（７２）は、前記制動脚部（４４，４６）をロックするために、前記制動システム（４０）の連結ロッド（６６）とくさび係合されること
を特徴とする、請求項６に記載のスタンドベース。
【請求項８】
前記制動システム（４０）は、前記ロック装置（７０）を解除するための解除用操作要素（８０）を有すること
を特徴とする、請求項６又は７に記載のスタンドベース。
【請求項９】
前記解除用操作要素（８０）は、該スタンドベース（１０）の予定通りの配向状態において、前記１つの操作要素（６２）の上方に配設されていること、及び、
前記解除用操作要素（８０）は、前記１つの操作要素（６２）よりも短く構成されていること
を特徴とする、請求項８に記載のスタンドベース。
【請求項１０】
前記制動脚部（４４，４６）は、前記制動脚部（４４，４６）の互いの相対的な配置構成が制動時に可変であるように支持され、互いに連結され、且つ前記操作要素（６２）と連結されていること
を特徴とする、請求項１〜９のいずれか一項に記載のスタンドベース。
【請求項１１】
前記スタンドベース本体（１２）は、スタンドのバランスをとるために各々少なくとも１つの追加重り（１００）を選択的に受容するための複数の受容室（２４〜３０）を有すること
を特徴とする、請求項１〜１０のいずれか一項に記載のスタンドベース。
【請求項１２】
前記制動システム（４０）は、１つのモジュールとして構成されていること、及び、
前記モジュールは、前記受容室（２４〜３０）のうち１つの受容室に受容されていること
を特徴とする、請求項１１に記載のスタンドベース。
【請求項１３】
前記スタンドベース本体（１２）は、４つの同一形状の受容室（２４〜３０）を有し、前記受容室の各々には、２つの追加重り（１００）が受容可能であること
を特徴とする、請求項１１又は１２に記載のスタンドベース。
【請求項１４】
前記受容室（２４〜３０）には、固定手段（３２）が設けられており、前記固定手段を用い、追加重り（１００）を直接的に前記スタンドベース本体（１２）に固定可能であること
を特徴とする、請求項１１〜１３のいずれか一項に記載のスタンドベース。
【請求項１５】
前記固定手段（３２）として、ねじ山部が設けられており、前記ねじ山部には、追加重り（１００）がボルトないしねじ（１０４）を用いてボルト固定ないしねじ固定可能であること
を特徴とする、請求項１４に記載のスタンドベース。
【請求項１６】
前記キャスタ（１４〜２０）は、ダブルキャスタであること
を特徴とする、請求項１〜１５のいずれか一項に記載のスタンドベース。
【発明の詳細な説明】
【技術分野】
【０００１】
（関連出願の記載）
本出願は、2014年3月19日出願のドイツ特許出願第 10 2014 103 745.6 号の優先権主張に基づくものであり、同出願の全記載内容は、引用をもって本明細書に組み込み記載されているものとする。
【０００２】
本発明は、顕微鏡、特に手術用顕微鏡のためのスタンドベース（スタンド脚）に関し、該スタンドベースは、スタンドベース本体を含み、該スタンドベース本体には、フロア上で該スタンドベースを移動可能に支持するための複数のキャスタが固定されている。更に該スタンドベースは、該スタンドベースの移動を防止するための制動システムを有し、この際、該制動システムは、少なくとも２つの制動脚部を有し、これらの制動脚部は、制動ポジションにおいてフロアに対して押し付けられ、それによりスタンドベースの移動を防止するか又は少なくとも困難にし、解除ポジションにおいてスタンドベースの移動を可能にする。
【背景技術】
【０００３】
手術用顕微鏡は、通常、極めて大きな重量をもち、そのために手術用顕微鏡のスタンドはキャスタ（ローラ）を有し、従って手術用顕微鏡を持ち上げる必要なく、手術用顕微鏡を簡単に１つのポジションから他のポジションへ移動させることが可能である。しかしそれに対し、手術用顕微鏡を手術中には意図せずに動くことがないようにすることが必要であり、その理由は、それにより手術の成功が脅かされてしまうからである。そのためにスタンドベースは、制動システム（ブレーキシステム）を有し、該制動システムを介し、スタンドベースと共に手術用顕微鏡を位置固定（不動化）することが可能である。
【０００４】
手術用顕微鏡のためのスタンドにおいて発生する更なる問題として、追加コンポーネントのポジションと装備内容に応じ、スタンドの重量及び／又は重心が変わるということがある。また手術用顕微鏡は、多くの場合、広範囲に及ぶアームを有する。このことは、手術用顕微鏡の転倒を回避するために、スタンドベースが大きな重量をもたなくてはならないことをもたらす。
【０００５】
下記特許文献１から、顕微鏡のためのスタンドベースが公知であり、このスタンドベースでは、スタンドベース本体内に異なる追加重り（追加荷重）を選択的に受容することが可能である。このことは、運搬や納入の際に個々のコンポーネントを個々に持ち運ぶことができるにもかかわらず、追加重りの受容を介して達成される全重量により確実で安定性のある直立状態が保証されているという利点をもつ。このスタンドベースにおいて追加重りは、プレート上に載置され、該プレートは、引き続き、ねじロッドを介して本来のスタンドベース本体と結合される。
【０００６】
更に下記特許文献１のスタンドベースは、４つの制動ブロックを有し、これらの制動ブロックには、各々の操作要素が付設されており、該操作要素は、その操作により、個々の制動ブロックがフロアと接触状態になり、従ってスタンドベースの位置固定を可能とし、意図しない移動が回避されることをもたらす。
【０００７】
また下記特許文献２から、顕微鏡のための他のスタンドベースが公知である。
【先行技術文献】
【特許文献】
【０００８】
【特許文献１】EP 1 026 531 B1
【特許文献２】EP 0 922 181 B1
【発明の概要】
【発明が解決しようとする課題】
【０００９】
先ずスタンドベースの大きな重量は、欠点でもあり、その理由は、運搬や納入の際にスタンドベースを場合により持ち運ばなくてはならないからであり、このことは、人間工学的に極めて不利なことである。
【００１０】
次に上記特許文献１のスタンドベースにおいて、追加重りの装備に際し、組み立てに極めて手間がかかるということは、欠点である。
【００１１】
更に上記特許文献１のスタンドベースの制動システムにおいて、確実な固定のために複数のペダルを踏まなくてはならないということは、欠点である。
【００１２】
また上記特許文献２のスタンドベースは、制動システムを有するものではない。
【００１３】
従って本発明の課題は、顕微鏡の確実な直立状態を簡単に達成することのできる顕微鏡のためのスタンドベースを提供することである。
【課題を解決するための手段】
【００１４】
前記課題は、請求項１の特徴を有するスタンドベースにより解決される。
即ち、本発明の一視点により、顕微鏡のためのスタンドベースであって、スタンドベース本体と、フロア上で該スタンドベースを移動可能に支持するために前記スタンドベース本体に固定された複数のキャスタと、該スタンドベースの移動を防止するための制動システムとを備え、前記制動システムは、少なくとも２つの制動脚部を含み、前記制動脚部は、制動ポジションにおいてフロアに対して押し付けられ、該スタンドベースの移動を防止するか又は少なくとも困難にし、解除ポジションにおいて該スタンドベースの移動を可能にし、前記制動システムは、前記制動脚部を前記解除ポジションから前記制動ポジションへ位置変更するためにオペレータにより操作可能な１つの操作要素を含み、前記操作要素は、前記操作要素の操作により前記制動脚部が前記解除ポジションから前記制動ポジションへ動かされるように前記制動脚部と連結されていることを特徴とするスタンドベースが提供される。
【００１５】
また本発明の更なる有利な構成は、従属請求項に記載されている。尚、本願の特許請求の範囲に付記された図面参照符号は、専ら本発明の理解の容易化のためのものであり、本発明を後続段落で説明する具体的な実施例、特に図示の形態に限定するものではないことを付言する。
【発明の効果】
【００１６】
本発明の上記一視点により、上記課題に対応する効果、即ち顕微鏡の確実な直立状態を簡単に達成することのできる顕微鏡のためのスタンドベースが提供される。
【発明を実施するための形態】
【００１７】
本発明において、以下の形態が可能である。
（形態１）顕微鏡、特に手術用顕微鏡のためのスタンドベースであって、スタンドベース本体と、フロア上で該スタンドベースを移動可能に支持するために前記スタンドベース本体に固定された複数のキャスタと、該スタンドベースの移動を防止するための制動システムとを備え、前記制動システムは、少なくとも２つの制動脚部を含み、前記制動脚部は、制動ポジションにおいてフロアに対して押し付けられ、該スタンドベースの移動を防止するか又は少なくとも困難にし、解除ポジションにおいて該スタンドベースの移動を可能にし、前記制動システムは、前記制動脚部を前記解除ポジションから前記制動ポジションへ位置変更するためにオペレータにより操作可能な１つの操作要素を含み、前記操作要素は、前記操作要素の操作により前記制動脚部が前記解除ポジションから前記制動ポジションへ動かされるように前記制動脚部と連結されていること。
（形態２）前記操作要素は、ペダルを含むことが好ましい。
（形態３）前記操作要素は、ロッドシステムを介して前記制動脚部と連結されていることが好ましい。
（形態４）前記ロッドシステムは、横ロッドを含み、前記横ロッドの端部には、前記制動脚部が関節式で取り付けられていること、前記ロッドシステムは、連結ロッドを含み、前記連結ロッドは、前記横ロッドと関節式で連結されており、更に前記操作要素と連結されていること、及び、前記操作要素の操作により前記操作要素は、前記連結ロッドを動かし、そして前記連結ロッドは、前記横ロッドを介して前記制動脚部を前記解除ポジションから制動ポジションへ動かすことが好ましい。
（形態５）前記制動脚部は、各々弾性要素を用い、特にばねを用い、前記解除ポジションにおいて予付勢されており、前記操作要素の操作により各々の前記弾性要素の復元力に反して前記制動ポジションへ動かされることが好ましい。
（形態６）前記制動脚部を前記操作要素の操作後に前記制動ポジションにおいて保持するロック装置が設けられていることが好ましい。
（形態７）前記ロック装置は、ガイドユニットを有し、前記ガイドユニットは、前記制動脚部をロックするために、特にばね組立体を用い、前記制動システムの連結ロッドとくさび係合されることが好ましい。
（形態８）前記制動システムは、前記ロック装置を解除するための解除用操作要素、特にペダルを有することが好ましい。
（形態９）前記解除用操作要素は、該スタンドベースの予定通りの配向状態において、前記１つの操作要素の上方に配設されていること、及び、前記解除用操作要素は、前記１つの操作要素よりも短く構成されていることが好ましい。
（形態１０）前記制動脚部は、前記制動脚部の互いの相対的な配置構成が制動時に可変であるように支持され、互いに連結され、且つ前記操作要素と連結されていることが好ましい。
（形態１１）前記スタンドベース本体は、スタンドのバランスをとるために各々少なくとも１つの追加重りを選択的に受容するための複数の受容室を有することが好ましい。
（形態１２）前記制動システムは、１つのモジュールとして構成されていること、及び、前記モジュールは、前記受容室のうち１つの受容室に受容されていることが好ましい。
（形態１３）前記スタンドベース本体は、４つの同一形状の受容室を有し、前記受容室の各々には、２つの追加重りが受容可能であることが好ましい。
（形態１４）前記受容室には、固定手段が設けられており、前記固定手段を用い、追加重りを直接的に前記スタンドベース本体に固定可能であることが好ましい。
（形態１５）前記固定手段として、ねじ山部が設けられており、前記ねじ山部には、追加重りがボルトないしねじを用いてボルト固定ないしねじ固定可能であることが好ましい。
（形態１６）前記キャスタは、ダブルキャスタであることが好ましい。
【００１８】
本発明により、制動システムは、複数の制動脚部（ブレーキフット）を解除ポジションから制動ポジションへ位置変更するためにオペレータにより操作可能な１つの操作要素を含み、この際、該操作要素は、該操作要素の操作によりそれらの制動脚部が解除ポジションから制動ポジションへ動かされるようにそれらの制動脚部と連結されている。
【００１９】
それによりスタンドベースの確実な制動のため、従ってスタンドベースの確実な位置固定のために、唯一の操作要素だけを操作すればよいということが達成される。それにより特に簡単な操作快適性が達成される。また個々に操作すべき制動脚部を複数個備えたスタンドベースの場合にあり得ることだが、全ての制動脚部を操作することを忘れてしまうという可能性が回避される。そのような場合には、特に１つの制動脚部だけがフロアと接触状態にあり、従って配置箇所においてスタンドベースの回転が回避されないという危険性がある。
【００２０】
スタンドベースは、特に取付ユニットを有し、該取付ユニットには、本来の顕微鏡、特に手術用顕微鏡が固定されているスタンドを取り付けることが可能である。
【００２１】
スタンドベース本体は、特に一種のハウジングを構成し、該ハウジングは、スタンドベースの他のコンポーネントを少なくとも上側から保護し、また該ハウジングには、別の全てのコンポーネントが備え付けられている。
【００２２】
操作要素は、特にペダルであり、それによりオペレータは、操作要素を簡単に足で操作することができ、従って一方では、人間工学的に有利にスタンドベースを制動することが可能であり、他方では、問題なく大きな力を加えることが可能である。
【００２３】
更に操作要素がロッドシステム（バーシステム）を介して例えば２つの制動脚部と連結されていると有利である。このロッドシステムは、特に横ロッド（トランスバースバー Querstange）と連結ロッド（タイバー Zugstange）を含み、この際、両方の制動脚部は、横ロッドの両方の端部において各々関節式（ジョイント式）で固定されている。また連結ロッドは、横ロッドと関節式で連結されており、そして操作要素の操作によりこの連結ロッドが予め定められた方向へ動かされるように操作要素と連結されており、この際、連結ロッドは、連結ロッド自体の運動を介して横ロッドを同時に動かし、そして横ロッドは、それらの制動脚部を解除ポジションから制動ポジションへ、即ちフロアの方向へ動かし、それによりそれらの制動脚部がフロアと接触し、従ってフロア上のスタンドベースの所望の位置固定が行われる。この際、横ロッドに取り付けられる制動脚部は、勿論２つに限られるわけではない。その際には、制動脚部の本数により、横ロッドにおける制動脚部の連結方式が適宜変更される。
【００２４】
そのようなロッドシステムを介し、特に簡単で且つ純粋に機械的な方式で、１つだけの操作要素を用いた両方の制動脚部の操作を実現することができる。特にそのようなロッドシステムは、故障が起こり難く、それにより長期の寿命が達成される。
【００２５】
両方の制動脚部は、特にこれらの両方の制動脚部の互いの相対的な配置構成が制動時に可変であるように支持され、互いに連結され、且つ操作要素と連結されている。特に両方の制動脚部は、互いに平行に延在する２つの軸線に沿って移動可能であり、この際、フロアとの接触の役割を果たす制動脚部の端部は、解除ポジションにおいては、同じ高さで配置されており、しかし制動時の互いに可変の配置構成を介し、この解除ポジションから各々の軸線に沿って異なる長さで繰り出し可能である。
【００２６】
それによりフロアの非平坦性（フロアの凹凸）を補償可能である、即ち非平坦性に対応可能であることが達成される。制動脚部は（フロアの非平坦性に基づき）異なるポジションをとることが可能であるが、この際、制動脚部をフロアに押し付ける押付力は、同じである。
【００２７】
従って平坦でないフロア上でも制動システムを介した常に確実な位置固定作用が達成される。
【００２８】
両方の制動脚部の互いに相対的な可変のポジションは、特にこれらの制動脚部が関節式（ジョイント式：枢支式）で横ロッドに取り付けられ、そして横ロッドも関節式で連結ロッドに取り付けられていることにより達成され、従って横ロッドの適切な非水平配置（水平状態からの傾動）により、互いに相対的な制動脚部のポジションが変更される。特に制動脚部を横ロッドに支持している両方の支持箇所は、適切な遊びを可能とする予め定められた拡大部（制動脚部を自由に動かすことのできる空間）を有する。
【００２９】
更に両方の制動脚部が各々弾性要素を用いて解除ポジションにおいて予付勢（付勢力即ち反発力をもった状態）されており、操作要素の操作によりこの弾性要素の復元力に反して解除ポジションから制動ポジションへ動かされると有利である。弾性要素は、特に圧縮ばねであるが、勿論他の弾性要素を用いることも可能である。
【００３０】
更に操作要素の操作後に制動脚部を制動ポジションにおいて保持するロック装置（Feststelleinrichtung）が設けられていると有利である。それによりスタンドベースを持続的に位置固定するために、操作要素をずっと操作している必要はないことが達成される。
【００３１】
ロック装置は、特にガイドユニットを有し、該ガイドユニットは、制動脚部をロックするために制動システムの連結ロッドとくさび係合され、それにより連結ロッドが出発ポジションへ戻ること、即ち制動脚部が解除ポジションの状態にあるときに連結ロッドが配置されているポジションへ戻ることを防止する。特にばね組立体（Federpaket）が設けられており、該ばね組立体を用い、ガイドユニットが連結ロッドとくさび係合される。この際、ガイドユニットは、例えば穴を有するプレート部材として構成されており、該穴に一定の直径を有する連結ロッドの外周部が比較的密の状態（僅かなクリアランス）で挿通し、従って該プレート部材が斜めに位置することにより、該プレート部材、即ちガイドユニットと、連結ロッドとのくさび係合（ウェッジロック：傾斜した状態での噛み付き係合ないしこじれ係合）が達成される。つまり制動ポジションは、連結ロッドの外周部に沿って可変である。
【００３２】
制動システムは、特に解除用操作要素を有し、該解除用操作要素を用い、ロック装置を再び解除することが可能である。この解除用操作要素の操作により、特に連結ロッドとガイドユニットとのくさび係合が解除され、それにより制動脚部が弾性要素の復元力に基づき再びそれらの開始ポジションへ、即ち制動ポジションから解除ポジションへ戻るように動かされる。
【００３３】
解除用操作要素は、特に同様にペダルであり、この際、このペダルと、制動システムを操作するためのペダルとは、スタンドベースの予定通りの配向状態において、特に直接的に上下に配設されており、この際、ロック装置を解除するためのペダルは、制動ユニットを操作するためのペダルよりも短く構成されている。それにより両方のペダルを人間工学的に有利に同じ箇所から操作することが可能であるにもかかわらず、両方のペダルへ簡単に到達可能であることが達成される。
【００３４】
両方のペダルには、好ましくは各々のシンボルが付けられており、該シンボルにより、ペダルの操作により行われる機能が象徴化される。特に制動ユニットを操作するためのペダルには、閉じた錠前が示され、ロック装置を解除するためのペダルには、湾曲部の開いた錠前が示されている。
【００３５】
特に有利な一実施形態において、スタンドベース本体は、複数の受容室を有し、これらの受容室の各々には、スタンドのバランスをとるために選択的に少なくとも１つの追加重りを受容させることが可能である。追加重りの受容により、簡単にスタンドベースの重量を増加させることが可能である。
【００３６】
スタンドベース本体は、特に大部分が中空に形成されており、好ましくは比較的少ない重量を有し、それにより使用箇所での組み立て前にその使用箇所へ簡単に運搬することが可能である。しかし追加重りを用いて受容室を満たすことにより、大きな重量を達成することが可能である。
【００３７】
制動システムは、特に唯一のモジュールとして構成されており、該モジュールは、該モジュールがそれらの受容室のうち１つの受容室に受容可能であるように形成されている。それによりスタンドベースの特に簡単な構造と特に簡単な組み立てが達成される。従って制動システムの外側のハウジングは、スタンドベース本体の複数の受容室のうち１つの受容室の形状にほぼ対応する。
【００３８】
制動システムのモジュールには、特に上述した制動脚部、制動システムを操作する１つの操作要素、解除用操作要素、ロッドシステム、及び／又はロック装置が属する。
【００３９】
特に有利な一実施形態において、スタンドベース本体は、４つの同一形状の受容室を有し、これらの受容室の各々には、選択的に２つの同一形状の追加重りを受容させることが可能である。制動システムは、特に１つの追加重りの２倍の大きさを有し、それにより制動システムは、複数の受容室のうち１つの受容室を満たすことになる。
【００４０】
選択的な一実施形態において、４つよりも多くの又は４つよりも少ない受容室を設けることも可能である。更にこれらの受容室は、これらの受容室において、各々１つだけの追加重りか、又は各々２つよりも多くの追加重り、例えば３つ又は４つの追加重りを受容することが可能であるように構成することもできる。
【００４１】
これらの受容室には、好ましくは各々少なくとも１つの固定手段が設けられており、該固定手段を用い、追加重りを直接的にスタンドベース本体に固定することが可能である。特に追加重りは、直接的にスタンドベース本体へ受容室内でボルト固定ないしねじ固定することが可能であり、そのために追加重りの穴を通してボルトないしねじが案内され、該ボルトないしねじは、対応して相補的に形成されたスタンドベース本体のねじ山部へ係合する。
【００４２】
それにより追加重りを保持するための大掛かりな別の手段は不必要であることが達成される。特に全ての追加重りをスタンドベース本体との結合前に配置しなくてはならないプレートなどは不必要である。それにより組み立てが明らかに簡素化される。
【００４３】
更にスタンドベースのキャスタ（ローラ）がダブルキャスタとして構成されていると有利である。それによりできるだけ僅かな力作用により単純運動が達成される。
【００４４】
スタンドベースは、特に４つのキャスタを有し、これらのキャスタは、配置構成として互いに対称に配設されている。
【００４５】
またスタンドベースが、異なる複数のスタンドを該スタンドベースに固定可能であるように構成されていると有利であり、それにより該スタンドベースを汎用的に使用することが可能である。そのために特にスタンドベースに複数のスタンドを固定するための標準インタフェースが設けられている。
【００４６】
本発明の更なる特徴及び利点は、添付の図面との関連で本発明の実施例を詳細に説明する以下の説明から読み取れる。
【図面の簡単な説明】
【００４７】
【図１】一実施例によるスタンドベースの概略斜視図である。
【図２】図１によるスタンドベースを下から見た別の概略斜視図である。
【図３】図１及び図２によるスタンドベースを上から見た図である。
【図４】図１から図３によるスタンドベースを横から見た図である。
【図５】図１から図４によるスタンドベースを下から見た図である。
【図６】追加重りの概略斜視図である。
【図７】図１から図５によるスタンドベースの制動システムの概略斜視図である。
【図８】図７による制動システムの別の概略図である。
【図９】図７及び図８による制動システムの部分図である。
【実施例】
【００４８】
図１には、スタンドベース１０をその上面部の方から見た概略斜視図が示されている。図２は、このスタンドベース１０の別の概略斜視図を示しており、図２において視線は、スタンドベース１０の下面部へ向けられている。図１及び図２によるスタンドベース１０に関し、図３は、上から見た図を示し、図４は、横から見た図を示し、図５は、下から見た図を示している。
【００４９】
スタンドベース１０は、スタンドベース本体（スタンドベースボディ）１２を含んでおり、該スタンドベース本体１２には、４つのキャスタ１４，１６，１８，２０（以下、キャスタ１４〜２０と記す）が固定されており、これらの４つのキャスタを介し、スタンドベース１０は、フロアにおいて（任意の方向に）移動可能に支持されている。図示された実施例においてキャスタ１４〜２０は、ダブルキャスタであり、該ダブルキャスタは、僅かな力作用で特に簡単な移動を可能とする。選択的な一実施形態においては、シングルキャスタを使用することも可能である。同様にスタンドベース１０は、４つのキャスタ１４〜２０よりも少ないキャスタ、例えば３つのキャスタをもつことも可能であり、又は４つのキャスタ１４〜２０よりも多くのキャスタ、例えば５つのキャスタをもつことも可能である。
【００５０】
スタンドベース本体１２の上面部には、取付開口部２２が設けられており、該取付開口部２２には、垂直に延在するスタンドの支持シャフトを挿入することが可能であり、それにより本来のスタンドがスタンドベース１０に固定される。スタンドは、特に顕微鏡のためのスタンド、好ましくは手術用顕微鏡のためのスタンドである。そのようなスタンドは、通常（特にアーム部分が）広範囲に（長いアーム径で）張り出しており且つ大きな重量をもつので、スタンドベース１０も、確実な直立状態を保証するために、対応する大きな重量をもつ必要があり、このことは、後続段落で更に詳細に説明するように、それ自体が比較的軽量に構成されており従って容易に持ち運ぶことのできるスタンドベース本体１２に対し、追加重り１００が固定可能であることにより達成される。
【００５１】
スタンドベース本体１２の下面部には、４つの受容室２４，２６，２８，３０（以下、受容室２４〜３０と記す）が形成されており、これらの受容室の各々には２つの追加重り１００を選択的に受容させることが可能である。本発明の選択的な一実施形態では、４つの受容室２４〜３０よりも多くの受容室、又は４つの受容室２４〜３０よりも少ない受容室を設けることも可能である。更に受容室２４〜３０は、これらの受容室２４〜３０の各々に１つだけの追加重り１００を受容することが可能であるか又は２つの追加重り１００よりも多くの追加重りを受容することが可能であるように構成することもできる。
【００５２】
追加重り１００は、特に全て同一形状に構成されており、従ってこれらの追加重り１００を任意に交換することが可能である。
【００５３】
図１から図５において図示された実施例においては、唯一の受容室、即ち受容室２８にだけ２つの追加重り１００が受容されており、それに対し、他の２つの受容室２４，２６において追加重りの装備は行われていない。必要に応じ、これらの受容室２４，２６にも別の追加重り１００を受容させることが可能である。
【００５４】
図６には、そのような追加重り１００の概略斜視図が示されている。追加重り１００は、貫通穴１０２を有し、ボルトないしねじ１０４を（追加重り１００の固定のために）該貫通穴１０２に通すことが可能である。
【００５５】
受容室２４〜３０には、適切な箇所にねじ山部が設けられており、それらのうち１つに例として符号３２（図５）が付けられている。従って追加重り１００は、簡単にボルトないしねじ１０４を介して直接的にスタンドベース本体１２にボルト固定ないしねじ固定することが可能であり、それにより追加重り１００の特に簡単な固定とその取り外しも可能であり、スタンドベース１０の重量を常に個別の実情へ簡単に適合させることが可能である。それにもかかわらず個々の追加重り１００を別個に取り扱うことが可能であり、それにより追加重り１００とスタンドベース１０を簡単にその使用目的箇所へ持ち運ぶことが可能である。
【００５６】
受容室２４〜３０のうち１つの受容室には、制動システム（ブレーキシステム）４０が受容されており、該制動システム４０を用い、スタンドベース１０を制動し、位置固定（不動化）することが可能であり、それによりスタンドベース１０の意図しない移動が防止される。受容室２４〜３０のうち１つの受容室にこの制動システム４０を受容することにより、特に簡単な構造と特に簡単な組み立てが達成される。
【００５７】
従って図示された実施例において、制動システム４０は、ほぼ２つの追加重り１００と同じ大きさで形成されている。本発明の選択的な一実施形態では、制動システム４０が追加重り１００のうち１つの追加重りの形状を有し、従って制動システム４０を１つの受容室２４〜３０の半部分だけが必要とされるような大きさで形成することも可能である。
【００５８】
制動システム４０は、特にハウジング４２を有し、該ハウジング４２により、制動システム４０の内部のコンポーネントが保護されている。このハウジング４２の外側の形状は、受容室２４〜３０のうち１つの受容室の形状にほぼ対応し、従って２つの追加重り１００の形状にほぼ対応している（図２）。
【００５９】
図７には、制動システム４０の概略斜視図が示されており、この際、内部に位置するコンポーネントをより良く見えるようにするために、ハウジング４２の図示は省いている。図８には、制動システム４０の側面図が示されている。
【００６０】
制動システム４０は、この実施例では２つの制動脚部（ブレーキフット）４４，４６を有し、これらの制動脚部４４，４６は、ロッド状支脚部をなす制動脚部本体の下部に接触面（制動接触面）４８，５０を有し、これらの接触面４８，５０を介し、フロアへの接触を確立することが可能であり、スタンドベース１０の位置固定のために必要な摩擦力が加えられる。
【００６１】
制動脚部４４，４６は、解除ポジションと制動ポジションとの間において可動であり、この際、制動脚部４４，４６は、制動ポジションにおいてフロアと接触し、それによりスタンドベース１０の運動が防止されるか又は少なくとも適切な摩擦力により困難になる。それに対し、解除ポジションにおいて制動脚部４４，４６は、これらの制動脚部４４，４６がフロアと接触せず、特にハウジング４２と当接状態にあるか又はハウジング４２内に格納されているように配置されている。
【００６２】
更に制動システム４０は、２つのばね（図示の例ではコイルスプリング）５２，５４を有し、これらのばね５２，５４を介し、制動脚部４４，４６は、解除ポジションにおいて、ばね５２，５４が一方では制動脚部４４，４６の肩状部（つば部）５６，５８の下面に当接し且つ他方では制動システム４０の位置固定の底部構造部６０の上面に当接することにより、予付勢（付勢力即ち反発力をもった状態）されている。
【００６３】
解除ポジションから制動ポジションへ制動脚部４４，４６を位置変更する場合、ばね５２，５４は圧縮され、それによりこれらのばね５２，５４は、解除ポジションの方向へ復元力をもたらす。
【００６４】
更に制動システム４０は、制動ペダル６２として構成された操作要素を有し、該操作要素を操作することにより両方の制動脚部４４，４６が解除ポジションから制動ポジションへ動かされる。このことは、スタンドベース１０を制動し、特に位置固定するために、唯一の操作要素６２だけを操作すればよいという利点を有する。従って特に簡単な操作性が達成され、複数の制動器の作動を忘れてしまう可能性が回避される。
【００６５】
制動ペダル６２は、ロッドシステム６４を介して両方（一対）の制動脚部４４，４６と連結されており、この際、このロッドシステム６４は、垂直方向に配設された連結ロッド（タイバー）６６と横ロッド（トランスバースバー）６８を有する。連結ロッド６６は、該連結ロッド６６が制動ペダル６２の操作により垂直方向に動かされるように制動ペダル６２と連結されている。
【００６６】
横ロッド６８は、連結ロッド６６に関節式（ジョイント式）で配設され、即ち枢支されており、この際、連結ロッド６６は、特に横ロッド６８の中央部に配設されており、横ロッド６８の貫通口６９を通り抜けており、該貫通口６９は、少なくとも横ロッド６８の両方の端部の方向において遊びを有し、従って横ロッド６８は、連結ロッド６６に対して相対的に傾動可能である。
【００６７】
横ロッド６８の両方の端部には、両方の制動脚部（その支脚部）４４，４６の上部が各々同様に関節式で配設されており、この際、両方の制動脚部４４，４６は、各々横ロッド６８の凹部に受容されており、これらの凹部は、これらの凹部が同様に制動脚部４４，４６に対する相対的な横ロッド６８の捩れ（傾動）を可能とするように形成されている。連結ロッド６６と制動脚部４４，４６の支持機構は、特にこれらが各々垂直軸線に沿ってのみ可動であるように構成されている。
【００６８】
横ロッド６８を介した関節式の枢支連結により、両方の制動脚部４４，４６は、それらの出発ポジションから、即ち横ロッド６８が水平に配置されており且つ両方の制動脚部４４，４６が同じ長さでスタンドベース１０から突出している解除ポジションから、横ロッド６８の傾動により下向きに異なる長さで動くことが可能であり、図８にはこのことが例として示されている。図８に示された場合では、制動脚部４６が制動脚部４４よりも更に下方へ動かされている。従って場合により存在するフロアの非平坦性（凹凸）が補償可能であるにもかかわらず、そのようなフロアの非平坦性がある場合にも両方の制動脚部４４，４６を確実にフロア上に立たせ、それによりスタンドベース１０の信頼性のある制動を達成することが可能である。従って特にフロアに非平坦性がある場合にも同じ押付力を加えることが可能である。本実施例において制動システム４０は、特に３ｍｍまでのフロアの非平坦性が補償可能であるように構成されている。
【００６９】
更に制動システム４０は、ロック装置（Feststelleinrichtung）７０を有し、該ロック装置７０を用い、制動脚部４４，４６は、制動ペダル６２の操作後に制動ポジションにおいて保持される。
【００７０】
図９には、制動システム４０の一部分が示されており、そこではロック装置７０の構造が示されている。ロック装置７０は、ガイドユニット７２を有し、該ガイドユニット７２は、垂直方向に配設された連結ロッド６６が挿通して延在する穴を有する。ガイドユニット７２は、ばね７４を介し、該ガイドユニット７２が連結ロッド６６に対して相対的にくさび係合（傾斜こじれ係合）されているポジションにおいて保持されており、従って連結ロッド６６の運動は、大きな力を用いてのみ可能である。この際、ガイドユニット７２は、穴を有するプレート部材として構成されており、該穴に一定の直径を有する連結ロッド６６の外周部が比較的密の状態（僅かなクリアランス）で挿通し、従って該プレート部材が斜めに位置することにより、該プレート部材、即ちガイドユニット７２と、連結ロッド６６とのくさび係合が達成される。つまり制動ポジションは、連結ロッド６６の外周部に沿って可変である。（因みに図９では、ガイドユニット７２の下方のところで連結ロッド６６にガイドブッシュ６６Ａが嵌め込まれている様子が描かれている。）
【００７１】
更にロック解除用の別のペダル８０（図７も参照）が設けられており、該ペダル８０を用い、ロック装置７０を再び解除することが可能であり、それにより制動脚部４４，４６がばね５２，５４の復元力に基づき再びそれらの出発ポジション、即ち解除ポジションへ戻される。ペダル８０の操作により、ガイドユニット７２が連結ロッド６６の外周部に沿ってばね７４の力に反して下方へ動かされ、それにより例えばガイドユニット７２の斜め位置から水平位置への位置変更に基づき連結ロッド６６のくさび係合が解除され、連結ロッド６６が更に運動可能となる。
【００７２】
ペダル８０は、制動ペダル６２の上側に（階段状にずらして）配設されており且つこの制動ペダル６２よりも短く（且つ小さく）形成されており、従って両方のペダルを簡単に且つ人間工学的に有利に操作することができるにもかかわらず、間違ったペダルの意図しない操作が回避される。尚、詳細には図示しないが、制動ペダル６２は、支持アームを用いて制動システム４０において枢支されている。
【００７３】
更にペダルの取り違いを回避するために、ペダル６２，８０には、シンボル８２，８４が設けられており、この際、制動ペダル６２には、特に閉じた錠前８２が描かれ、ペダル８０には、湾曲部の開いた錠前８４が描かれている。
【００７４】
尚、上記の特許文献の各開示を本書に引用をもって繰り込むものとする。また本発明の全開示（請求の範囲を含む）の枠内において、更にその基本的技術思想に基づいて、実施形態の変更・調整が可能である。また本発明の全開示の枠内において、種々の開示要素（各請求項の各要素、各実施形態の各要素、各図面の各要素等を含む）の多様な組み合わせ、ないし選択が可能である。即ち本発明は、請求の範囲を含む全開示、技術的思想にしたがって当業者であればなし得るであろう各種変形、修正を含むことは勿論である。特に本書に記載した数値範囲については、当該範囲内に含まれる任意の数値ないし小範囲が別段の記載のない場合でも具体的に記載されているものと解釈されるべきである。
【符号の説明】
【００７５】
１０            スタンドベース
１２            スタンドベース本体（スタンドベースボディ）
１４〜２０      キャスタ
２２            取付開口部
２４〜３０      受容室
３２            ねじ山部、固定手段
４０            制動システム（ブレーキシステム）
４２            ハウジング
４４，４６      制動脚部（ブレーキフット）
４８，５０      接触面
５２，５４      ばね（スプリング）、弾性要素
５６，５８      肩状部（つば部）
６０            底部構造部
６２            制動ペダル、操作要素
６４            ロッドシステム
６６            連結ロッド（タイバー）
６６Ａ          ガイドブッシュ
６８            横ロッド（トランスバースバー）
６９            貫通口
７０            ロック装置
７２            ガイドユニット
７４            ばね
８０            ペダル（ロック解除ペダル）、解除用操作要素
８２            シンボル（閉じた錠前）
８４            シンボル（湾曲部の開いた錠前）
１００            追加重り
１０２            貫通穴
１０４            ボルトないしねじ
【図１】
2015177980.tif 000003
【図２】
2015177980.tif 000004
【図３】
2015177980.tif 000005
【図４】
2015177980.tif 000006
【図５】
2015177980.tif 000007
【図６】
2015177980.tif 000008
【図７】
2015177980.tif 000009
【図８】
2015177980.tif 000010
【図９】
2015177980.tif 000011